【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
情報端末と、情報処理装置と、前記情報処理装置からの指示に基づいてデータの処理を実行する１以上の機器とを含むシステムであって、
前記データの処理の実行に関する履歴情報を記憶する記憶手段と、
前記記憶手段に記憶されている少なくとも１つの前記履歴情報の一覧が含まれ、前記少なくとも１つの前記履歴情報の一覧からユーザが履歴情報を選択するための画面を表示する画面表示手段と、
前記画面表示手段によって表示された前記画面において前記少なくとも１つの履歴情報から前記ユーザによって選択された履歴情報に対応するデータの処理の実行を前記機器に対して指示するための指示情報を生成する生成手段と、
前記生成手段によって生成された前記指示情報に基づいて、前記機器における前記データの処理の実行を制御する処理実行手段と、
前記処理実行手段によって実行された前記データの処理に関する履歴情報を前記記憶手段に記録する記録手段と、を備える、
ことを特徴とするシステム。
【請求項２】
前記記憶手段は、
複数の機器における前記データの連携処理の実行に関する履歴情報を記憶し、
前記生成手段は、
前記画面表示手段によって表示された前記画面において前記少なくとも１つの前記履歴情報から前記連携処理の実行に関する履歴情報が選択された場合、前記連携処理に必要な指示情報を前記複数の機器それぞれに対して生成する、
ことを特徴とする請求項１に記載のシステム。
【請求項３】
前記生成手段は、
前記連携処理に必要な指示情報として、入力を対象とする入力対象機器に対してデータを生成する処理を示す指示情報を生成し、出力を対象とする出力対象機器に対してデータを出力する処理を示す指示情報を生成する、
ことを特徴とする請求項２に記載のシステム。
【請求項４】
前記データを生成する処理は、
画像形成装置のスキャナ機能によってスキャンデータを生成する処理、若しくは電子黒板に表示されている画面情報に基づいて画面データを生成する処理である、
ことを特徴とする請求項３に記載のシステム。
【請求項５】
前記データを出力する処理は、
前記画像形成装置のプリント機能によってデータを印刷する処理、若しくは投影装置によってデータを投影対象物に投影する処理である、
ことを特徴とする請求項３に記載のシステム。
【請求項６】
前記記憶手段は、
前記データの処理を実行した機器と、前記データと、前記処理の内容とを対応付けて記憶し、
前記画面表示手段は、
前記記憶手段に記憶されている前記データの処理を実行した機器と、前記データと、前記処理の内容とが対応付けられた前記履歴情報の一覧が含まれる画面を表示する、
ことを特徴とする請求項１に記載のシステム。
【請求項７】
前記画面表示手段は、
前記少なくとも１つの前記履歴情報から前記ユーザによって選択された履歴情報における前記処理の内容を再実行するためのオブジェクトが含まれる画面を表示する、
ことを特徴とする請求項６に記載のシステム。
【請求項８】
前記履歴情報は、
前記データの処理の内容と、前記データの処理を実行した機器と、前記データと、前記データの処理の結果が最終結果か否かを示す最終結果情報とが対応付けられた情報である、
ことを特徴とする請求項１に記載のシステム。
【請求項９】
前記データの処理の実行時間が一定値以下の場合、前記データの処理の実行に対応する履歴情報は前記記憶手段に記憶されない、
ことを特徴とする請求項１に記載のシステム。
【請求項１０】
情報端末と、情報処理装置と、前記情報処理装置からの指示に基づいてデータの処理を実行する１以上の機器とを含むシステムによる情報処理方法であって、
前記データの処理の実行に関する履歴情報を記憶する記憶手段に記憶されている少なくとも１つの前記履歴情報の一覧が含まれ、前記少なくとも１つの前記履歴情報の一覧からユーザが履歴情報を選択するための画面を表示する画面表示ステップと、
前記画面表示ステップによって表示された前記画面において前記少なくとも１つの前記履歴情報から前記ユーザによって選択された履歴情報に対応するデータの処理の実行を前記機器に対して指示するための指示情報を生成する生成ステップと、
前記生成ステップによって生成された前記指示情報に基づいて、前記機器における前記データの処理の実行を制御する処理実行ステップと、
前記処理実行ステップによって実行された前記データの処理に関する履歴情報を前記記憶手段に記憶する履歴情報記憶制御ステップと、を含む、
ことを特徴とする情報処理方法。
【請求項１１】
ネットワークを介して、情報端末と、１以上の機器と接続し、前記機器に対するデータの処理の実行を制御する情報処理装置であって、
前記データの処理の実行に関する履歴情報を記憶する記憶手段と、
前記記憶手段に記憶されている少なくとも１つの前記履歴情報の一覧が含まれ、前記少なくとも１つの前記履歴情報の一覧からユーザが履歴情報を選択するための画面を前記情報端末に送信する画面送信手段と、
前記情報端末によって表示された前記画面において前記少なくとも１つの前記履歴情報から前記ユーザによって選択された履歴情報に対応するデータの処理の実行を前記機器に対して指示するための指示情報を生成する生成手段と、
前記生成手段により生成された前記指示情報に基づいて、前記機器における前記データの処理の実行を制御する処理実行手段と、
前記処理実行手段によって実行された前記データの処理に関する履歴情報を前記記憶手段に記憶する履歴情報記憶制御手段と、を備える、
ことを特徴とする情報処理装置。
【請求項１２】
前記記憶手段は、
複数の機器における前記データの連携処理の実行に関する履歴情報を記憶し、
前記生成手段は、
前記情報端末によって表示された前記画面において前記少なくとも１つの前記履歴情報から前記連携処理の実行に関する履歴情報が選択された場合、前記連携処理に必要な指示情報を前記複数の機器それぞれに対して生成する、
ことを特徴とする請求項１１に記載の情報処理装置。
【請求項１３】
前記生成手段は、
前記連携処理に必要な指示情報として、入力を対象とする入力対象機器に対してデータを生成する処理を示す指示情報を生成し、出力を対象とする出力対象機器に対してデータを出力する処理を示す指示情報を生成する、
ことを特徴とする請求項１２に記載の情報処理装置。
【請求項１４】
前記データを生成する処理は、
画像形成装置のスキャナ機能によってスキャンデータを生成する処理、若しくは電子黒板に表示されている画面情報に基づいて画面データを生成する処理である、
ことを特徴とする請求項１３に記載の情報処理装置。
【請求項１５】
前記データを出力する処理は、
前記画像形成装置のプリント機能によってデータを印刷する処理、若しくは投影装置によってデータを投影対象物に投影する処理である、
ことを特徴とする請求項１３に記載の情報処理装置。
【請求項１６】
前記記憶手段は、
前記データの処理を実行した機器と、前記データと、前記処理の内容とを対応付けて記憶し、
前記画面送信手段は、
前記記憶手段に記憶されている前記データの処理を実行した機器と、前記データと、前記処理の内容とが対応付けられた前記履歴情報の一覧が含まれる画面を送信する、
ことを特徴とする請求項１１に記載の情報処理装置。
【請求項１７】
前記画面送信手段は、
前記少なくとも１つの前記履歴情報から前記ユーザによって選択された履歴情報における前記処理の内容を再実行するためのオブジェクトが含まれる画面を送信する、
ことを特徴とする請求項１６に記載の情報処理装置。
【請求項１８】
前記履歴情報は、
前記データの処理の内容と、前記データの処理を実行した機器と、前記データと、前記データの処理の結果が最終結果か否かを示す最終結果情報とが対応付けられた情報である、
ことを特徴とする請求項１１に記載の情報処理装置。
【請求項１９】
前記データの処理の実行時間が一定値以下の場合、前記データの処理の実行に対応する履歴情報は前記記憶手段に記憶されない、
ことを特徴とする請求項１１に記載の情報処理装置。
【請求項２０】
ネットワークを介して、情報端末と、１以上の機器と接続し、前記機器に対するデータの処理の実行を制御する情報処理装置に、
前記データの処理の実行に関する履歴情報を記憶する記憶手段に記憶されている少なくとも１つの前記履歴情報の一覧が含まれ、前記少なくとも１つの前記履歴情報の一覧からユーザが履歴情報を選択するための画面を前記情報端末に送信する画面送信ステップと、
前記情報端末によって表示された前記画面において前記少なくとも１つの履歴情報から前記ユーザによって選択された履歴情報に対応するデータの処理の実行を前記機器に対して指示するための指示情報を生成する生成ステップと、
前記生成ステップによって生成された前記指示情報に基づいて、前記機器における前記データの処理の実行を制御する処理実行ステップと、
前記処理実行ステップによって実行された前記データの処理に関する履歴情報を前記記憶手段に記憶する履歴情報記憶制御ステップと、を実行させるためのプログラム。
【手続補正２】
【補正対象書類名】明細書
【補正対象項目名】０００５
【補正方法】変更
【補正の内容】
【０００５】
上述した課題を解決し、目的を達成するために、本発明は、情報端末と、情報処理装置と、前記情報処理装置からの指示に基づいてデータの処理を実行する１以上の機器とを含むシステムであって、前記データの処理の実行に関する履歴情報を記憶する記憶手段と、前記記憶手段に記憶されている少なくとも１つの前記履歴情報の一覧が含まれ、前記少なくとも１つの前記履歴情報の一覧からユーザが履歴情報を選択するための画面を表示する画面表示手段と、前記画面表示手段によって表示された前記画面において前記少なくとも１つの履歴情報から前記ユーザによって選択された履歴情報に対応するデータの処理の実行を前記機器に対して指示するための指示情報を生成する生成手段と、前記生成手段によって生成された前記指示情報に基づいて、前記データの処理の実行を制御する処理実行手段と、前記処理実行手段によって実行された前記データの処理に関する履歴情報を前記記憶手段に記録する記録手段と、を備えるシステムである。